(57)【要約】【課題】部屋のレイアウトや間仕切りを行う場合に使用されるレーザー墨出し器を提供する。【解決手段】筐体１の内部に固定されているとともに上面が凸状の球面形状にされ、且つ上面中心位置に空気を通す連通孔７が形成されている固定部６と、該固定部６の球面形状部と対応する凹状の球面形状部９Ａが形成されているとともに下部に錘１０が取り付けられ、且つ上部にレーザー光照射装置１１が搭載されている浮上部材９と、前記筐体１内に設けられているとともに前記連通孔７を通して圧縮空気を突出させるポンプ８とを設け、前記連通孔７を通して突出される圧縮空気の押し上げ力により前記浮上部材９を浮上させる。【選択図】    図１
2004317416.tif 000002
【特許請求の範囲】
【請求項１】
筐体の内部に設けられているレーザー光照射装置より放射されるレーザー光を該筐体の外部に投射するように構成されたレーザー墨出し器において、前記筐体の内部に固定されているとともに上面が凸状の球面形状にされ、且つ上面中心位置に空気を通す連通孔が形成されている固定部と、該固定部の球面形状部と対応する凹状の球面形状部が形成されているとともに下部に錘が取り付けられ、且つ上部に前記レーザー光照射装置が搭載されている浮上部材と、前記筐体内に設けられているとともに前記連通孔を通して圧縮空気を突出させるポンプとより成り、前記連通孔を通して突出される圧縮空気の押し上げ力により前記浮上部材を浮上させるようにしたことを特徴とするレーザー墨出し器。
【請求項２】
筐体の上部に支持部材を上下動可能に設け、該支持部材を前記浮上部材の上面に当接することによって該浮上部材を固定するようにしたことを特徴とする請求項１に記載のレーザー墨出し器。
【請求項３】
圧縮空気の突出動作を間欠的に行うことによって浮上部材の制動を行うようにしたことを特徴とする請求項１に記載のレーザー墨出し器。
【請求項４】
固定部の球面形状部に設けられている連通孔の周辺部を平面状にしたことを特徴とする請求項１に記載のレーザー墨出し器。
【請求項５】
ポンプにより吸引させることによって浮上部材を固定部に吸着させるようにしたことを特徴とする請求項１に記載のレーザー墨出し器。
【発明の詳細な説明】
【０００１】
【発明の属する技術分野】
本発明は、部屋のレイアウトや間仕切り等を行う場合に使用される墨出し器に関するものである。
【０００２】
【従来の技術】
レーザー光線は、エネルギー密度が高く広がり幅が狭いという特性を有しているため、墨出し器と呼ばれる装置に多く使用されている。斯かるレーザー光を利用した墨出し器においては、レーザー光の投射方向を常に水平方向や垂直方向に保持する必要があるためジンバルと呼ばれる支持装置が使用されている（例えば、特許文献１参照。）。
【０００３】
【特許文献１】
特開２０００−１６１９５９号公報
【０００４】
【発明が解決しようとする課題】
ジンバル機構は、墨出し器において最も多く利用されている姿勢調整機構であるが、レーザー光照射装置がが組み込まれている吊り下げ体の姿勢調整動作をスムースに行うために軸を支持する手段としてボールベアリングが使用されている。ボールベアリングは、回転時の摩擦抵抗は小さいが、動き出すときの初動抵抗による影響によって吊り下げ体の傾きを調整する姿勢調整機構の動きが追従しなかったり遅れたりすることがあった。斯かる点を改良するために、吊り下げ体の重量を重くしたり、支持するボールベアリングの径を小さくすることが行われている。
【０００５】
しかし、墨出し器は、建築現場等での転倒や落下により大きな衝撃を受ける危険性があるので、吊り下げ体の重量を重くすると落下時に受ける衝撃力が大きくなり、またボールベアリングの径を小さくすると衝撃に対して弱くなるという問題がある。
【０００６】
本発明は、斯かる問題を解決することが出来る墨出し器を提供しようとするものである。
【０００７】
【課題を解決するための手段】
本発明は、筐体の内部に設けられているレーザー光照射装置より放射されるレーザー光を該筐体の外部に投射するように構成されたレーザー墨出し器において、前記筐体の内部に固定されているとともに上面が凸状の球面形状にされ、且つ上面中心位置に空気を通す連通孔が形成されている固定部と、該固定部の球面形状部と対応する凹状の球面形状部が形成されているとともに下部に錘が取り付けられ、且つ上部に前記レーザー光照射装置が搭載されている浮上部材と、前記筐体内に設けられているとともに前記連通孔を通して圧縮空気を突出させるポンプとより成り、前記連通孔を通して突出される圧縮空気の押し上げ力により前記浮上部材を浮上させるように構成されている。
【０００８】
【実施例】
図１は本発明のレーザー墨出し器の一実施例を示す一部断面図である。同図において、１はレーザー墨出し器を構成する筐体であり、その下方には基台２が固定されている。３、４及び５は前記基台２に螺合されている姿勢調整用の脚部であり、斯かる脚部３，４及び５を回すことによって筐体１の傾きを調整することが出来るように構成されている。
【０００９】
６は前記筐体１の内部に固定されている固定部であり、上面が凸状の球面形状にされた支持部６Ａと該支持部６Ａと筐体１とを結ぶ連結部６Ｂとより構成されている。前記球面形状の上面中心部は平面部６Ｃが形成されているとともに連通孔７の空気突出孔７Ａが形成されている。斯かる連通孔７は前記連結部６Ｂ及び筐体１の側版部１Ａを介して筐体の下方内部に設けられているポンプ８と連結されるように設けられている。
【００１０】
９は前記固定部６に形成されている支持部６Ａの球面形状と対応する凹状の球面形状部９Ａが形成されている浮上部材であり、上下方向への変位及び水平方向における回動変位を少しく許容するために前記固定部６の連結部６Ｂが連通する連通孔９Ｂが形成されている。１０は前記浮上部材９の下枠部９Ｃに固定されている錘、１１はレーザー光を放射するレーザー光照射装置であり、前記浮上部材９の上部に設けられている収納部９Ｄ内に組み込まれているとともに該レーザー光照射装置１１から照射されるレーザー光が筐体１の壁面に形成されている透孔（図示せず）を通して外部に投射され、墨出し器として動作するように構成されている。
【００１１】
１２は前記筐体１の上部１Ｂに螺合されている調整螺子であり、指先にて操作される摘み部１３が設けられている。１４は前記調整螺子１２によって上下方向に変位されるべく設けられている支持部材であり、下方に変位させたとき前記浮上部材９の収納部９Ｄの上面に当接し、該浮上部材９を不動作位置に固定支持する作用を有している。前記支持部材１４には図示したように凹所１４Ａが設けられているとともに前記浮上部材９の収納部９Ｄの上面に当接する面１４Ｂには衝撃を吸収するクッション等の弾性部材１５が設けられている。
【００１２】
以上に説明したように本発明に係る墨出し器は構成されているが、次に動作について説明する。墨出し器として動作する状態にあるときには、図示したように支持部材１４は前記浮上部材９の収納部９Ｄの上面より離間した状態にある。
【００１３】
斯かる状態にあるときにポンプ８を作動させて圧縮空気を送出すると、その圧縮された空気が連通孔７を通して固定部６の支持部６Ａに設けられている空気突出孔７Ａから外部に突出される。その結果、該支持部６Ａの球面形状と対応する球面形状部９Ａが形成されている浮上部材９が上方への変位力を受けることになり、該浮上部材９は上方へ少しく変位することになる。即ち、前記浮上部材９は浮上し、支持部６Ａから離間した状態になる。
【００１４】
従って、斯かる状態にあるとき、前記浮動部材９は、筐体１に対して離間した状態にあるため揺動可能に支持されているだけでなく水平方向への回転動作が可能に支持された状態にある。そして、浮上部材９の下枠部９Ｃには錘１０が固定されているので、該浮上部材９は水平面に対して垂直になるように姿勢が制御されることになる。それ故、前記浮動部材９の収納部９Ｄに組み込まれているレーザー光照射装置１１から照射されるレーザー光を筐体１の外部に、且つ水平方向に正確に投射することが出来、墨出し器として使用することが出来る。
【００１５】
斯かる状態において、ポンプ８を不動作状態にすると、固定部６の支持部６Ａに設けられている空気突出孔７Ａからの空気の突出動作が行われなくなる。その結果、浮上部材９の上方への変位力がなくなるので、該浮上部材９は下降し、固定部６に形成されている支持部６Ａの球面形状部と浮上部材９の球面形状部９Ａとが接触した状態になる。そして、斯かる状態において、調整螺子１２に設けられている摘み部１３を操作することによって該調整螺子１２を筐体１の上部１Ｂに対して捩じ込むと支持部材１４が下方へ移動変位せしめられ、該支持部材１４の面１４Ｂに設けられている弾性部材１５が浮上部材９の上方に設けられている収納部９Ｄの上面に当接する。その結果、浮上部材９が固定部６の支持部６Ａに押圧された状態になるので、該浮上部材９をロック保持することが出来る。従って、斯かる状態では前記浮上部材９がロック保持された状態になるので、このままで墨出し器を持ち運ぶことが出来る。
【００１６】
以上に説明したように墨出し器としての動作を行うことが出来るが、ポンプ８からの圧縮空気の送出動作を間欠的に行うようにすると、浮上部材９の浮上動作が間欠的に行われるので、該浮上部材９の制動動作を行うことが出来る。また、固定部６の支持部６Ａの上面に形成されている球面形状部の空気突出部７Ａが形成されている位置に平面部６Ｃを形成したので、圧縮空気の浮上部材９に対する変位力を円滑、且つ効率良く与えることが出来る。
【００１７】
そして、ポンプ８によって空気を吸引させるようにすると浮上部材９が固定部６の支持部６Ａに対して吸着保持された状態になるので、筐体１を９０度倒すことによって水平方向だけでなく垂直方向への墨出し器として使用することが出来る。
【００１８】
【発明の効果】
本発明は、筐体の内部に設けられているレーザー光照射装置より放射されるレーザー光を該筐体の外部に投射するように構成されたレーザー墨出し器において、前記筐体の内部に固定されているとともに上面が凸状の球面形状にされ、且つ上面中心位置に空気を通す連通孔が形成されている固定部と、該固定部の球面形状部と対応する凹状の球面形状部が形成されているとともに下部に錘が取り付けられ、且つ上部に前記レーザー光照射装置が搭載されている浮上部材と、前記筐体内に設けられているとともに前記連通孔を通して圧縮空気を突出させるポンプとより成り、前記連通孔を通して突出される圧縮空気の押し上げ力により前記浮上部材を浮上させるようにしたので、即ちレーザー光照射装置が搭載されている浮上部材を揺動可能にしたので、レーザー光照射装置より放射されるレーザー光の方向性を正確に保持することが出来る。
【００１９】
また、本発明は、筐体の上部に支持部材を上下動可能に設け、該支持部材を浮上部材の上面に当接することによって該浮上部材を固定するようにしたので、レーザー光照射装置を不動作位置にロック保持することが出来る。
【００２０】
そして、本発明は、圧縮空気の突出動作を間欠的に行うことによって浮上部材の制動を行うようにしたので、墨出し器として円滑に作動させることが出来る。
【００２１】
また、本発明は、固定部の球面形状部に設けられている連通孔の空気突出孔の周辺部を平面状にしたので、突出空気による力を浮上部材に対して円滑、且つ効率良く与えることが出来る。
【００２２】
そして、本発明は、ポンプにより吸引させることによって浮上部材を固定部に吸着させるようにしたので、浮上部材が固定部に対して吸着保持された状態になり、その結果筐体を傾けることによって水平方向だけでなく垂直方向への墨出し器として使用することが出来る。
【図面の簡単な説明】
【図１】本発明のレーザー墨出し器の一実施例を示す一部断面図である。
【符号の説明】
１        筐体
６        固定部
６Ａ      支持部
６Ｃ      平面部
７        連通孔
８        ポンプ
９        浮上部材
９Ｄ      収納部
１０        錘
１１        レーザー光照射装置
１２        調整螺子
１４        支持部材
１５        弾性部材
【図１】
2004317416.tif 000003